(57)【特許請求の範囲】
【請求項１】
少なくとも３つの原色各々の発色量を調整することによりカラー画像を再現する自己発光型カラーモニターの白色点を評価する方法において、
前記３つの原色の入力信号の混合比が１：１：１であるモニターの無彩色の色図形を該モニター上に表示し、
該無彩色の色図形の周囲に、該無彩色の色図形から離れるに従って彩度が高くなるような色相環を成す彩度の低い複数の色図形を、前記３つの原色の入力信号の混合比率を変えて前記モニター上に表示し、
これらの色図形を比較して前記モニターの観察環境下での無彩色軸を成す原色信号の混合比率を評価する
ことを特徴とする自己発光型カラーモニターの白色点簡易評価方法。
【請求項２】
請求項１において、前記無彩色の色図形及びその周囲の複数の色図形は、発光レベルが０（ゼロ）の背景上に表示されることを特徴とする自己発光型カラーモニターの白色点簡易評価方法。
【請求項３】
少なくとも３つの原色各々の発色量を調整することによりカラー画像を再現する自己発光型カラーモニターの白色点を評価するための白色点評価チャートにおいて、
前記３つの原色の入力信号の混合比が１：１：１であるモニターの無彩色の色図形を配置し、さらに
該無彩色の色図形の周囲に、該無彩色の色図形から離れるに従って彩度が高くなるような色相環を成す彩度の低い複数の色図形を、前記３つの原色の入力信号の混合比率を変えて配置した
ことを特徴とする自己発光型カラーモニターの白色点簡易評価チャート。
【請求項４】
請求項３において、前記無彩色の色図形及びその周囲の複数の色図形は、発光レベルが０（ゼロ）の背景上に表示されることを特徴とする自己発光型カラーモニターの白色点簡易評価チャート。
【発明の詳細な説明】
【０００１】
【産業上の利用分野】
本発明は、少なくとも３つの原色信号の量と、それらの混合比率をコントロールすることにより自然カラー画像を再現する自己発光型カラーモニターの白色点評価に関するものであり、特にその自己発光型カラーモニターの観察環境における白色点を構成する原色信号の混合比率を評価する評価方法に関する。また、その評価方法に用いる評価チャートに関する。
【０００２】
【従来の技術】
上記の自己発光型カラーモニターとして、例えばＲ（赤）、Ｇ（緑）、Ｂ（青）の蛍光体の発光によって自然カラー画像を再現する、いわゆるカラーＣＲＴや、バックライト方式によるカラー液晶ディスプレー等が知られている。これらのカラーモニターにおいては、モニターによって再現される色の見えが常に一定である必要がある。特に白色点はその基準となるものである。
【０００３】
モニターに供給される３つの原色信号のデータが常に一定であっても、それらに対する出力が一定でなければ、モニター上に再現される画像の色は一定とはならない。また、原色信号のデータが一定であり、そして出力が一定であっても、そのモニターの置かれている環境光の色によって評価者に色順応が起こり、白いものが白く見えない等、モニター上に再現された色が異なって見えるという不都合が生じる。
【０００４】
従来、カラーモニターの白バランスを評価する方法として、白ラスターを画面に表示して測定器を用いて評価する方法、白ラスターの色みを主観的に評価する方法、又は自然画像により画面の色みを主観的に評価する方法等が知られている。しかしながらカラーモニターが置かれた場所についての観察環境、例えば照明の強さや、照明の色等を考慮に入れて白色点を評価する方法は提案されていない。
【０００５】
【発明が解決しようとする課題】
上記の白バランス評価方法を白色点評価に用いようとした場合、白ラスターによる白色点の評価に関していえば、測定器等を用いる必要があったり、主観評価による場合でも、色のズレの有無はわかるが、どこが白色点となるかまでの評価はできない。
【０００６】
測定器を用いた方法の場合、モニターの表示色のバランスをある一定状態に保つには好都合であるが、観察者の順応が考慮されず、実際に「白」に見える色（すなわち、白色点）を探し出すには、まず主観評価により白色点を与える測色値を求めておく必要がある。
【０００７】
白ラスターによる主観評価では、白色点の修正は、評価者が白ラスターをにらみながら各原色信号の比率をコントロールして、白く見える点を探し出す必要がある。しかしこの方法では、修正に時間を要すると共に時間の経過に伴い画面上の白ラスターへの順応が生じ、そこに表示されている「無彩色に近い色」が無彩色と感じられ、本来求めようとしている白色点を正確には求めづらい。
【０００８】
本発明は、従来技術を用いた白色点の評価における上記の問題点を解消するためになされたものであって、白色点をなす原色信号（すなわち出力値）の混合比率を測定器を用いることなく、簡便に、しかも正確に評価することを可能とする評価方法及び簡易評価チャートを提供することを目的とする。
【０００９】
【課題を解決するための手段】
上記の目的を達成するため、本発明に係る自己発光型カラーモニターの白色点簡易評価方法は、少なくとも３つの原色各々の発色量を調整することによりカラー画像を再現する自己発光型カラーモニターの白色点を評価する方法において、前記３つの原色の入力信号の混合比が１：１：１であるモニターの無彩色の色図形を該モニター上に表示し、該無彩色の色図形の周囲に、該無彩色の色図形から離れるに従って彩度が高くなるような色相環を成す彩度の低い複数の色図形を、前記３つの原色の入力信号の混合比率を変えて前記モニター上に表示し、これらの色図形を比較して前記モニターの観察環境下での無彩色軸を成す原色信号の混合比率を評価することを特徴とする。
【００１０】
また、本発明に係る自己発光型カラーモニターの白色点簡易評価チャートは、少なくとも３つの原色各々の発色量を調整することによりカラー画像を再現する自己発光型カラーモニターの白色点を評価するための白色点評価チャートにおいて、前記３つの原色の入力信号の混合比が１：１：１であるモニターの無彩色の色図形を配置し、さらに該無彩色の色図形の周囲に、該無彩色の色図形から離れるに従って彩度が高くなるような色相環を成す彩度の低い複数の色図形を、前記３つの原色の入力信号の混合比率を変えて配置したことを特徴とする。
【００１１】
上記のモニターの無彩色とは、例えばカラーＣＲＴモニターであれば、Ｒ（赤）、Ｇ（緑）、Ｂ（青）の３色に対する入力信号の混合比率が１：１：１である色である。また、彩度の低い複数の色図形とは、入力信号の混合量の最大値と最小値との比が２：１を越えない程度の色、あるいは、ある環境下、例えば暗黒中で、標準の光、例えばＣ光と同じ色度値を与える色を中心に、彩度が５を越えない程度の色である。ここで、入力信号の混合比率が１：１：１である色、あるいは標準の光、例えばＣ光と同じ色度値を与える色が主観的に「無彩色」と感じられるという保証はなく、「無彩色」は、モニターの無彩色又はその周りの彩度の低い複数の色の中に含まれることになる。
【００１２】
【作用】
本発明では、原色信号の混合比率がそれぞれ異なる、無彩色を含んだ彩度の低い複数の色図形の中から、「無彩色」と感じられるものを選び出すことによって評価を行うので、その観察環境下での白色点を正確に評価することができる。さらに、その色図形を構成する原色信号（すなわち、入力信号）の混合比率は既知であるので、白色点の修正が簡易に行える。なお、無彩色を含む彩度の低い色図形を発光レベルが０（ゼロ）の背景、すなわち視覚上は黒色として見える背景上に複数個配置すると、背景色や画面上への順応による影響を小さくすることができる。
また、環境光の光色により視覚系の順応方向がその色相方向へずれるかが予想されるため、無彩色に見える図形を選び出す作業が容易になる。また、無彩色は必ず色相環の内側に存在するということからも、選択が容易に行える。
【００１３】
【実施例】
図１は、本発明に係る白色点簡易評価チャートの一実施例を示している。この簡易評価チャート１０は、無発光状態、すなわち発光レベル０（ゼロ）の背景１１上に、それぞれ色が異なる無彩色に近い色を持つ円形の図形１２を複数個、実施例では２５個、並べて配置することにより構成されている。
【００１４】
図２は、Ｒ（赤）、Ｇ（緑）、Ｂ（青）の３色の入力信号を軸とする自己発光型カラーモニターの色再現空間を表している。この色空間の原点Ｐと、点Ｗとを結ぶ直線Ｖ上の色が、本来モニターの無彩色となるべき色であり、その混合比率はＲ：Ｇ：Ｂ＝１：１：１となっている。なお、点Ｗというのは、Ｒ，Ｇ，Ｂがいずれも最大の階調値を持つ点を示している。
【００１５】
図３は、図２の色再現空間を切断面２１で切断した場合のその切断面２１の拡大図を示している。図中の２５個の色付き丸３０で示した色再現空間上の座標に対応する色が、図１に示した簡易評価チャート１０に用いた２５個の色図形１２の色を示している。
【００１６】
図４は、カラーＣＲＴ４１の白色点評価に、本発明に係る簡易評価チャート１０を適用した場合を示している。カラーＣＲＴ４１上に本チャート１０を再現するには、例えば以下の手順による。今、このカラーＣＲＴ４１の表示色がＲ，Ｇ，Ｂの３つの原色信号によって制御されていて、その制御値がそれら原色信号（Ｒ，Ｇ，Ｂ）に対する各駆動信号電流のそれぞれ最小値を０（ゼロ）、最大値を例えば２５５として、その間を等間隔に分割した「階調値」で表されていた場合、図２の各軸の単位は階調値で表せる。
【００１７】
図２に示した切断面２１は、例えば（Ｒ，Ｇ，Ｂ）＝（２５５，２５５，１８０），（２５５，１８０，２５５），（１８０，２５５，２５５）の３点を通るようにする。直線Ｖはこの三角形の重心を通り、この平面の法線となる。その重心の座標（すなわち階調値）は（２３０，２３０，２３０）であり、図示の点３１となる。この色を簡易評価チャート１０の中心の図形１２ａの色としてそのチャート１０の中心に配置する。ここで示すチャート１０には縦方向、横方向それぞれ５個づつの円形の図形１２を配置したので、チャート１０の大きさを１０２４×１０２４ピクセル、各図形の間に最低６ピクセルの間隙を持たせ、天地に５０ピクセルの余白を作ると、各円形図形の半径は９０ピクセルとなる。
【００１８】
なお、最も外側の円形図形の色は、切断面２１の三角形の外周上の色とした。例えば、（２５５，２１８，２１８）の点３２から、外周に沿って等間隔に１６色をとる。点３２で示した色を簡易評価チャート１０の中心の上外側に配置し、順次に今決めた色の残りの１５色をチャート１０の外側の図形の色として、位置関係を図３に対応させて配置していく。残りの８色は、図３の点３１と点３２とを結ぶ中間の色を起点に、同様に三角形の辺に沿った方向に等間隔に選び、同様に点３１の周囲に配置する。この様にして、モニター４１の無彩色を中心として、その周囲に彩度の低い２重の色相環を成す白色点評価チャート１０が完成する。
【００１９】
以下、上記の簡易評価チャートを用いた白色点の評価方法を説明する。
【００２０】
今、評価チャート１０の中心に置かれている図形の色はＲ：Ｇ：Ｂ＝１：１：１の色で、本来ならこれが無彩色と感じられるべき色である。しかし、実際にはこの点が無彩色と感じられるという保証はない。このチャート１０を表示したＣＲＴ４１の白色点が６５００［Ｋ］の相関色温度を持つ点に設定されていた場合、このＣＲＴ４１を相関色温度が同じく６５００［Ｋ］の光源下で観察すると、観察者の視覚系がこの光源による光に順応するため、この評価チャート１０の中心の色は白よりもやや赤みがかって見える。この環境下で白と見える点は中心よりも左下方の図形の色、すなわちＢ（青）の比率が高い色となる。
【００２１】
また、このＣＲＴ４１を白熱ランプによる照明環境下で観察する場合、このＣＲＴ４１に同じ設定で同じチャート１０を表示すると、今度は中心の図形の上方の図形の色、例えば（Ｒ，Ｇ，Ｂ）＝（２５５，２１８，２１８）の色が白と感じられる。これは、前者の環境に比べて環境光の色温度が低く（約２８００［Ｋ］）、相対的に視覚系の長波長光に対する感度が前者の環境に比べて低下するため、よりＲ（赤）の比率の高い色が白と感じられるのである。
【００２２】
このように、無彩色を含む複数の無彩色に近い色図形の中から、その環境下で実際に無彩色と見える色図形を選び出す。すると、それぞれの図形を構成するＲ，Ｇ，Ｂの階調値は評価チャート１０の作成時に既知であるから、本来設定されていたモニター４１の無彩色軸と、観察時の主観的な無彩色軸とのズレが今選んだ図形を構成する信号の混合比率として把握されることになる。
【００２３】
視覚系の順応、特にここでは色順応は、環境光の光色により色づいた、本来「白」に見えるべき物、例えば紙や布が「白」に感じられるような方向に起こる。つまり、環境光に含まれる波長の内、相対的にエネルギーが高い波長に対応する視覚系の錐体の感度が相対的に下がるように働く。一方、自己発光型カラーモニターから発せられる光の分光分布は環境光の影響をほとんど受けないため、ほとんど変化しない。その結果、視覚系の順応により、無彩色に見える図形の位置が変化するのである。
【００２４】
各図形の色を無彩色であろう色を中心として、そのまわりに色相環を成すように配置することにより、環境光の光色により視覚系の順応方向がどの色相方向へずれるかが予想されるため、無彩色に見える図形を選び出す作業が容易になる。また、無彩色は必ず色相環の内側に存在するということからも、選択が容易に行える。本来、モニターの白は必ず白に見えている必要がある。また、その入力信号の各原色信号の比率は（１：１：１）であることが望ましい。白色点の修正には、今選んだ図形の色を与える出力電流値を与えている入力信号の比率を（１：１：１）となるように補正してやればよい。
【００２５】
上記実施例では、評価チャートを構成する図形の色として、モニターの無彩色軸Ｖを法線として、（２３０，２３０，２３０）の点で交わる平面上の色を考えたが、用いる色はこの平面上の色に限る必要はない。各明度で無彩色を見つけ、主観的な無彩色軸を求めようとするならば、例えばこの平面に平行な複数の平面上の色を用いればよい。この場合、選択される無彩色と感じられる色図形は複数となる。あるいは、それら各平面上の色を用いた複数の評価チャートを用意すればよい。
【００２６】
また、色図形の形、配置、用いる個数等も特定のものに限定する必要はない。
【００２７】
本発明によれば、モニターが観察される環境下での白色点を正確に評価することが可能となる。また、モニターの白色点のズレを測定器を用いることなく、定量的に評価することが可能となり、その補正を簡便に行うことが可能となる。
また、環境光の光色により視覚系の順応方向がその色相方向へずれるかが予想されるため、無彩色に見える図形を選び出す作業が容易になる。また、無彩色は必ず色相環の内側に存在するということからも、選択が容易に行える。
【００２８】
【図面の簡単な説明】
【図１】本発明に係る白色点簡易評価チャートの一実施例を示す模式図である。
【図２】本発明に係る白色点の簡易評価チャートを適用する自己発光型カラーモニターの色再現空間を示す模式図である。
【図３】図１に示した評価チャートを構成する各色図形の色平面上の位置を示した模式図であって、図２に示した色再現空間の切断面２１の拡大図である。
【図４】カラーＣＲＴの白色点の評価のために本発明に係る簡易評価チャートを用いた場合の実施例を示すカラーＣＲＴの正面図である。
【符号の説明】
１０      簡易評価チャート
１１      背景
１２      色図形
２１      色再現空間切断面
３１      評価チャートの中心色図形の色のモニター色再現空間上の位置
３２      評価チャートの最上段中心の色図形の色のモニター色再現空間上の位置
４１      ＣＲＴ
４２      画面
【図１】
0003604412.tif 000002
【図２】
0003604412.tif 000003
【図３】
0003604412.tif 000004
【図４】
0003604412.tif 000005